(57)【特許請求の範囲】
【請求項１】
着用時の形状でウエスト開口部と一対のレッグ開口部とを構成する着用物品であって、
前記着用物品は左右の開放可能な脇身ごろをなすサイドフラップを有する展開型着用物品であり、該サイドフラップは前身ごろ及び後身ごろからそれぞれ連続し、かつ、該サイドフラップの前身ごろ側及び後身ごろ側の少なくとも一方は伸縮性部と非伸縮性部とを有する伸縮性領域をなし、該伸縮性領域に動的図柄が施されており、
前記図柄が前記伸縮性部と前記非伸縮性部とに跨って配置され、該図柄の一部が位置する前記非伸縮性部は、伸縮性の前記サイドフラップの身丈方向にみて上方に偏倚して配置されている着用物品。
【請求項２】
前記図柄の施された伸縮性のサイドフラップの幅方向端縁にはファスニングテープが取り付けられており、前記図柄の一部が位置する非伸縮性部は、サイドフラップにおいて前記ファスニングテープの上端仮想延長線と下端仮想延長線とで区画される有効伸長領域の身丈方向にみて上方に偏倚して配置されている請求項１に記載の着用物品。
【請求項３】
前記伸縮性領域は、伸縮性の部材に非伸縮化処理が施されてなる請求項１又は２に記載の着用物品。
【請求項４】
前記非伸縮化処理が、前記伸縮性部材への非伸縮性部材の取り付け又は組み込みによりなされる請求項３に記載の着用物品。
【発明の詳細な説明】
【技術分野】
【０００１】
本発明は伸縮機能と連動して動的に変化する図柄を有する着用物品に関する。
【背景技術】
【０００２】
乳幼児用の使い捨ておむつ等の外表面に動物やキャラクター等の図柄をプリントしてあるものが多く見られる。これは子供にかわいいおむつを穿かせたいという需要者の要望を満足し、とりわけ、月齢の上がった幼児においては自分の気に入ったキャラクターのあるおむつを欲しがるため、やはり需要者の要求に合致する。他方、使い捨ておむつ等は機能性の物品であって、近年その基本性能である吸収保持性はもとより、極めて高い防漏性や穿き心地、さらには快適性までもが求められるようになってきている。かかるおむつ等の機能と上述したデザイン的特徴とを互いに作用し合うようなものはこれまであまりなく、最近プリント柄をおむつにおける伸縮性のサイドフラップに施し柄の伸び縮みを見せるものが提案された（特許文献１参照）。
【先行技術文献】
【特許文献】
【０００３】
【特許文献１】特開２００５−１１１１７５号公報
【発明の概要】
【発明が解決しようとする課題】
【０００４】
本発明は、着用物品の伸縮性部と非伸縮性部とを有する伸縮性領域の機能に即応して図柄が施され、これを着脱するとき等の伸縮に応じて前記図柄が効果的かつ動的に変化する着用物品の提供を課題とする。
【課題を解決するための手段】
【０００５】
本発明は、着用時の形状でウエスト開口部と一対のレッグ開口部とを構成する着用物品であって、該着用物品内において伸縮性部と非伸縮性部とを有する伸縮性領域に動的図柄が施されており、該図柄が前記伸縮性部と非伸縮性部とに跨って配置されている着用物品を提供するものである。
【発明の効果】
【０００６】
本発明の着用物品においては、伸縮性領域に配置された図柄の一部がその機能に即応して施されこれを着脱するとき等の伸縮に応じて前記図柄が効果的かつ動的に変化する。特に着用時に起伏のある乳幼児等の体形に対して柔らかくかつ好適にフィットし理想的な装着状態を可能とする機能と連動して、幼児の興味をそそる又は知育に効果のある図柄の動的変化を実現しうる作用効果を奏する。
【図面の簡単な説明】
【０００７】
【図１】本発明の好ましい実施形態（実施形態１）である動的に変化する図形を有する使い捨ておむつを概ね着用したときの形状で模式的に示す斜視図である。
【図２】図１に示した使い捨ておむつの一部切欠展開平面図である。
【図３】図２のＩＩＩ−ＩＩＩ線に沿った拡大断面図である。
【図４】本実施形態１のサイドフラップにおける図柄の動的変化を模式的に示す拡大正面図である。
【図５】本実施形態１のサイドフラップにおける図柄の動的変化の変形例を模式的に示す拡大正面図である。
【図６】本実施形態１のサイドフラップにおける図柄の動的変化の別の変形例を模式的に示す拡大正面図である。
【図７】本実施形態１のサイドフラップにおける図柄の動的変化のまた別の変形例を模式的に示す拡大正面図である。
【図８】本実施形態１のサイドフラップにおける図柄の動的変化の変形例を模式的に示す拡大正面図である。
【図９】本実施形態１のサイドフラップにおける図柄の動的変化の変形例を模式的に示す拡大正面図である。
【図１０】本発明の別の好ましい実施形態（実施形態２）に係る動的に変化する図形を有する使い捨ておむつを模式的に示す一部切欠展開平面図である。
【図１１】本発明の別の好ましい実施形態（実施形態３）に係る動的に変化する図形を有する使い捨ておむつを模式的に示す一部切欠展開平面図である。
【図１２】図１１のＸＩＩ−ＸＩＩ線に沿った拡大断面図である。
【発明を実施するための形態】
【０００８】
図１〜３に基づいて、本発明の一実施形態（実施形態１）の動的に変化する図形５０を有する展開型使い捨ておむつについて詳述する。
本実施形態のおむつは、着用時の形状でウエスト開口部と一対のレッグ開口部とを構成する。伸縮性シート２からなるサイドフラップＳｒは、おむつ１０において本体２１の後身ごろＲ（着用者の背側）に連続して左右一対で配されており、そのサイドフラップＳｒには、それぞれ非伸縮化処理を施された非伸縮性部１７が所定の範囲に配置されている。前記各サイドフラップＳｒは、それぞれその幅方向外方縁部にファスニングテープ１を有する。乳幼児等に着用させるときには、この後身ごろＲを着用者の背側に配し、さらにおむつ股下中央部Ｃが股間に沿うようわたし、前身ごろＦを着用者の下腹部にあて装着する。次いで、固定のために、おむつ後部のサイドフラップＳｒを背中の方から腹側にわたし、この背側サイドフラップＳｒを非伸縮性シート９からなるサイドフラップＳｆ上に重ね合わせる。ファスニングテープ１をランディングテープ（ファスナー受け部）６に押圧して、ファスニングテープ１に設けられた面状ファスナー１２によりランディングテープ６の表面と接合させてメカニカルファスナーの作用で係着させる。おむつの使用後には、逆にファスニングテープ１をランディングテープ６から引き剥がし、後身ごろに連続するサイドフラップＳｒからおむつを展開して乳幼児等から脱がせる。
【０００９】
本実施形態においては、非伸縮性部１７とそれ以外の伸縮性部（図１に示したものでは伸縮性部材２の非伸縮性部１７とファスニングテープ１以外の部分）２２とを有する上記伸縮性領域（伸縮性部材２と一致する領域）であるサイドフラップＳｒに図柄５０が施されている。該図柄５０は、その一部を非伸縮性部１７に描かれた図柄非伸縮部５１と、その他の部分の伸縮性部２２においてサイドフラップＳｒ上に描かれた図柄伸縮部５２とからなる。このように図柄５０を伸縮性部と非伸縮性部とを跨るように配置することで、おむつの着脱時に、サイドフラップＳｒに描かれた図柄５０の図柄伸縮部５２が伸縮して動的に変化する。他方、非伸縮性である図柄非伸縮部５１は変化をしない。つまり一つのまとまった図柄中で伸縮する部位としない部位が存在し、その図柄５０に単に全体が伸び縮みする単調な変化とは異なる特有な変化を生じることとなる。この変化の利用例は後述するが、これはあたかも図柄のモチーフが躍動的に動くような、多様な変化を演出することが可能となる。乳幼児は目立った動きをするものに対し特に興味を示すが、本実施形態によればそのような乳幼児の興味をひきつけ、おむつを替えるときの操作を容易なものとする。さらに、おむつ交換時の母親などの視覚的にもまた楽しさを演出する。
上記効果に加え、詳細な構造は後述するが、サイドフラップＳｒにおいて着用時における身丈方向の上方に非伸縮性部１７を偏倚して配置したことにより、前記サイドフラップＳｒの前記引張り力の大きさが上方から下方に向け減少し好適な引張応力の分配がなされる。これにより、脚まわりの締め付け具合と腰まわりの締め付け具合とがバランスよく両立させることができる。
【００１０】
図２に示したように、本実施形態１に示した展開型使い捨ておむつ１０は、液透過性の表面シート４（着用者の肌に当接する側）、液不透過性の裏面シート３（着用したときの外面側）及び両シート３，４間に介在された液保持性の吸収体５を具備する。おむつ全体の展開形状としては、実質的に縦長の砂時計形状、すなわち、その長手方向（Ｙ方向）の両端部（前身ごろＦ側，後身ごろＲ側）が幅広にされ、中間部Ｃが括れた形状とされている。
【００１１】
本実施形態１においては、表面シート４及び裏面シート３、両シートに介在された吸収体５、さらに表面シート４の上側で肌当接面側の幅方向（Ｘ方向）両側にサイドシート８が配設され非伸縮性の積層体を形成する。さらに前記非伸縮性の積層体に、弾性部材１５、１６等と合わせて組み立てた部分に、長手方向（Ｙ方向）の腹側の一端に一対の前記非伸縮性サイドフラップＳｆをなす非伸縮性シート９が取り付けられている。このおむつ本体２１の背側端に一対の背側サイドフラップＳｒをなす伸縮性シート２が配設され、そこにファスニングテープ１が取り付けられて乳幼児用おむつ１０が形成されている。
【００１２】
図２に示すように、使い捨ておむつ１０には、吸収体５における幅方向（図２のＸ方向であり、身幅方向ということがある。）の両側部に沿って長手方向（図２のＹ方向であり、側縁部についてみると着用時の身丈方向と一致する。）に延びるサイドシート８が表面シート４の上面（肌当接面）に形成されている。該サイドシート８は、一対の起立性防漏カフをなす糸状ないし細紐状の弾性部材１５を備えた不織布からなる。各サイドシート８は、吸収体５の側縁近傍に対応する位置とレッグギャザー形成用の糸状ないし細紐状の弾性部材１６との間において、おむつ長手方向（Ｙ方向）にわたって表面シート４上に固定されている。前記の起立性の防漏カフをなす部分は表面シート４に固着されておらず、この防漏カフの自由端（内端）側は、おむつ展開状態において、弾性部材１５のギャザー形成作用によっておむつ長手方向（Ｙ方向）に沿って立体的に起立するようにされている。この立体ギャザーとなる防漏カフが起立して肌にしっかりと当接し、排泄物の外部への移行を遮断して横漏れを効果的に防止する。なお、図２のｋ２は防漏カフの自由端縁位置、ｋ１はその基端位置を表しており、この位置ｋ１の外側方で表面シート４に固着されている。この防漏カフがなす伸縮性の領域に動的に変化する図柄を施してもよい。
【００１３】
図３は、図２のＩＩＩ−ＩＩＩ線断面図である（ただし、弾性部材は図示していない。）。前記サイドフラップＳｒをなす伸縮性シート２は、その右端縁を表面シート４と裏面シート３との間に挟まれ接合されている。また前記サイドフラップＳｒの端縁においては、ファスニングテープ１が接合されている。
前記ファスニングテープ１は、基材シート１１と、該基材シート１１の内側面の一部に取り付けられた面状のメカニカルファスナー（面状ファスナー）１２の内側面にあるオス材のメカニカルファスナー１２ｉとから構成されている。前記ファスニングテープ１は、前記基材シート１１が背側サイドフラップＳｒの裏面（肌側と反対側）に背側サイドフラップＳｒの外端縁Ｓｅを跨ぎ越すように配され装着される。ファスニングテープ１は特に上記構造に限定されるものではなく、基材シート１１上の面状ファスナー１２が部分的にサイドフラップＳｒに重ねられ、前記基材シート１１と前記面状ファスナー１２とがサイドフラップＳｒを挟むように固着されてもよい。その他、基材シート１１と面状ファスナー１２に前記基材シート１１の取付を補強する補強部材（図示せず）を加えたものであってもよい。各部材の接着方法は特に限定されず、通常のこの種のシート材等に用いられる接着剤によって接着することができる。
【００１４】
図４〜９は、前記実施形態１のサイドフラップＳｒにおける図柄の動的変化を変形例を含め模式的に示す拡大正面図である。図中、左側が着用前Ｂ（伸縮性部材の伸縮前）であり、右側が着用後Ｄ（伸縮性部材の伸縮後）である。網点で示されているのが図柄伸縮部５２であり、それ以外の図柄は図柄非伸縮部５１である。また、図柄非伸縮部５１を含む破線で示した領域が非伸縮部１７である。サイドフラップの中心線Ｓｃ及び有効伸縮領域の中心線Ｇと図柄伸縮部５２及び図柄非伸縮部５１の関係は後述する。本実施形態において、着用時Ｄにおいては矢印ｍの方向にファスニングテープ１を引き伸ばし着用する。上記着用時は非伸縮部の身幅方向の範囲５１ａ部分は非伸縮性のため図柄の変化はしない。以下に各変形例を含め詳述するが図柄についてはこれらに限定されるものではなく、また発明の特徴を示すことを考慮して模式的に幾分誇張して示した部分もあり、伸縮する寸法等において実際の変化が必ずしも図示したものと一致しなくてもよい。
【００１５】
図４に示す図柄５０においては「うさぎ」をモチーフにしている。図柄伸縮部５２は脚部分であり、上半身が図柄非伸縮部５１である。着用前Ｂの伸縮をしていないサイドフラップＳｒに描かれた図柄５０のうさぎは脚が揃えられ、まるでその場で止まっているかのように見える。ところが、このような構成で描いた図柄５０はおむつを着用するにあたり、腹側中心方向にファスニングテープ１を引き伸ばしていくと伸縮性部に描かれた図柄伸縮部５２（図４では脚）は矢印ｍの方向への伸縮に従い徐々に変化をはじめる。このとき、うさぎの左脚の踵は伸縮基線Ｑ側に伸縮し、他方、右脚つま先はファスニングテープ１側に伸縮する。ファスニングテープ１がランディングテープ６に押圧され身体に装着された時、つまり着用後Ｄの図柄５０におけるうさぎの脚は前後に開かれ、あたかも、うさぎが歩行中のように見え、図柄に躍動感を演出することができる。なお、図４及びそれ以降の図面では非伸縮性部１７を部材の積層順序に関わらず破線で示した。
【００１６】
図５に示す変形例においては「ボールとねこ」をモチーフにしている。図柄伸縮部５２はボールであり、ねこが図柄非伸縮部５１である。着用前Ｂの伸縮をしていないサイドフラップＳｒに描かれた図柄５０のボールはしぼんだ形状（楕円形）であり、ねこは今にもボールから落ちそうである。このような構成で描いた図柄５０はおむつを着用するにあたり、上記のようにファスニングテープ１を引き伸ばしていくと伸縮性部に描かれた図柄伸縮部５２（図５ではボール）は矢印ｍの方向への伸縮に従い徐々に変化をはじめ、あたかもボールに空気が入り膨らんでいくようになる。着用後Ｄでは、ねこが円形のボールの上に安定して乗って遊ぶ図柄となり、図柄に楽しさを演出することができる。
【００１７】
図６に示す変形例においては「傘とうさぎ」をモチーフにしている。図柄伸縮部５２は傘であり、うさぎが図柄非伸縮部５１である。着用前Ｂの伸縮をしていないサイドフラップＳｒに描かれた図柄５０のうさぎの傘は閉じられているように見える。このような構成で描いた図柄５０はおむつを着用するにあたり、上記のようにファスニングテープ１を引き伸ばしていくと伸縮性部に描かれた図柄伸縮部５２（図６では傘）は矢印ｍの方向への伸縮に従い徐々に変化をはじめ、徐々に傘の親骨は開き、うさぎの上方を覆っていくようになる。着用後Ｄのうさぎの傘は大きく開かれ、うさぎが傘をさして雨をしのいでいるような図柄となり、ストーリーを持った図柄を演出することができる。
【００１８】
図７に示す変形例においては「花」をモチーフにしている。図柄伸縮部５２は花弁であり、茎、葉が図柄非伸縮部５１である。着用前Ｂの伸縮をしていないサイドフラップＳｒに描かれた図柄５０の花弁は閉じられ、咲く前の蕾ようにも見える。このような構成で描いた図柄５０はおむつを着用するにあたり、上記のようにファスニングテープ１を引き伸ばしていくと伸縮性部に描かれた図柄伸縮部５２（図７では花弁）は矢印ｍの方向への伸縮に従い徐々に変化をはじめ、徐々に花弁が開いていくようになる。着用後Ｄの花弁は開花し、大輪の花を咲かせたような図柄となり、図柄に華やかさを演出することができる。
【００１９】
図８に示す変形例においては「蝶と花」をモチーフにしている。図柄伸縮部５２は花弁と蝶の羽であり、図柄における蝶の羽以外の部分が図柄非伸縮部５１である。着用前Ｂの伸縮をしていないサイドフラップＳｒに描かれた図柄５０の花弁と蝶の羽は閉じられており、蝶は開花を待っているように見える。このような構成で描いた図柄５０はおむつを着用するにあたり、上記のようにファスニングテープ１を引き伸ばしていくと伸縮性部に描かれた図柄伸縮部５２（図８では花弁と蝶の羽）は矢印ｍの方向への伸縮に従い徐々に変化をはじめ、徐々に花弁は開き、蝶の羽もひろがっていくようになる。着用後Ｄの花弁は開花し、蝶の羽は大きく開かれ、あたかも開花した花から蝶が羽ばたいているような図柄となり、蝶の喜びが伝わってきそうな図柄を演出することができる。
【００２０】
図９に示す変形例においては「ボールと子供」をモチーフにしている。図柄伸縮部５２はボールであり、子供が図柄非伸縮部５１である。着用前Ｂの伸縮をしていないサイドフラップＳｒに描かれた図柄５０のボールは子供の近くにあり、かつ、しぼんでいるように見える。このような構成で描いた図柄５０はおむつを着用するにあたり、上記のようにファスニングテープ１を引き伸ばしていくと伸縮性部に描かれた図柄伸縮部５２（図９ではボール）は矢印ｍの方向への伸縮に従い徐々に変化をはじめ、徐々にボールは膨らみ、かつ、子供のそばから離れていくようになる。着用後Ｄのボールは子供から離れ、あたかも子供がボールをこちらに向かって転がしたように見え、手品のような驚きを演出できる図柄となる。
【００２１】
本実施形態における図柄５０の大きさは特に限定されず、モチーフにあわせ適宜設定されるのが好ましい。なお、上述の良好な装着状態をサイドフラップＳｒに発現させ、その機能を考慮しつつ着用後Ｄの図柄５０のモチーフに動的な変化を好適に演出しようとしたとき、乳幼児用展開型おむつに施される図柄伸縮部５２の変化率は１１０〜１５０％が好ましく、１２０〜１４０％であることがさらに好ましい。ここで述べる「変化率」とは着用前Ｂでの図柄伸縮部５２の伸縮方向（矢印ｍ）の幅ｈ１と、着用後Ｄにおける図柄伸縮部５２の伸縮方向の幅ｈ２との割合を示す。つまり（ｈ２／ｈ１）×１００＝変化率となる。また、同様におむつ交換時等に赤ちゃんの興味を惹き落ち着かせる効果や知育等の効果を発現する点で好ましくは、図柄非伸縮部５１と図柄伸縮部５２との幅の比率（（ｈ３／ｈ１）を５０〜１５０％とすることが好ましく、７０〜１２０％とすることがさらに好ましい。なお、図柄非伸縮部５１及び図柄伸縮部５２が１つの図柄５０内に複数ある場合には伸縮方向（矢印ｍ）に存在する着用前Ｂにおける図柄伸縮部５２の伸縮方向の総計を幅ｈ１とし、着用後Ｄにおける図柄伸縮部５２の伸縮方向の総計を幅ｈ２とする。例えば、図８においては花弁と蝶の羽とで２つの図柄伸縮部５２が存在している。着用前Ｂにおける花弁の伸縮方向の幅ｈ１１と着用前Ｂにおける蝶の羽の伸縮方向の幅ｈ１２の総計（ｈ１１＋ｈ１２）がｈ１となる。また、着用後Ｄにおける花弁の伸縮方向の幅ｈ２１と着用後Ｄにおける蝶の羽の伸縮方向の幅ｈ２２の総計（ｈ２１＋ｈ２２）がｈ２となる。図柄非伸縮部５１が複数存在する場合も上記と同じ方法で図柄非伸縮部５１の幅ｈ３を求めることができる。
【００２２】
本実施形態において図柄５０はサイドフラップＳｒに施されているが、上記のような図柄５０の視覚効果は伸縮性を有するどのような場所に設けることができる。例えば本実施形態において図示してはいないが上述のとおり防漏カフに設けたり、パンツ型おむつのレッグギャザーやウエストギャザー部に設けてもよい。その場合、着用前Ｂと着用後Ｄで伸縮の差がある部位が好ましい。そのようにすることでパンツ型おむつの装着者である幼児が伸縮操作に興味を持つことにより、自分でパンツ型おむつを脱いだり穿いたりすることを促すことができ、パンツトレーニングの一環としての作用を奏する。また、図柄の構成も複数の図柄伸縮部５２と複数の図柄非伸縮部５１とを組み合わせて１つの図柄５０としてもよい。
【００２３】
図２及び図３に戻っておむつの構造的な特徴についてさらに説明する。前記サイドフラップＳｒは、その裏面（肌当接側と反対側）のファスニングテープ１の右端Ｓｔからサイドフラップの伸縮性の起点となる伸縮性基線Ｑの間において非伸縮性部１７を配置している。先に述べたとおり、ファスニングテープ１を配設した、伸縮性シート２からなるサイドフラップＳｒは、その上方に非伸縮性部１７を偏倚して有する（図２参照）。ここでいう上方とは、着用者の身丈方向にみて上方、つまり着用者の頭部の方向であり、側縁部（サイドフラップ）ＳｒのＹ方向における中心線Ｓｃ（Ｓ０からＳｃまでの距離とＳｃからＳｉまでの距離とが等しくなる位置の線）を基準として上方である。そして偏倚とは、単に所定の基線の上方に非伸縮性部１７の全体があることのみならず、非伸縮性部１７全体の面積のうち所定の基線（前記中心線Ｓｃ又は後記有効伸長領域Ｗの中心線Ｇ）よりも上方により多くの部分の面積が配されていることである。つまり、中心線Ｓｃを例にとっていえば、それより上方にそのすべての部分があることはもとより、非伸縮性部の一部が中心線Ｓｃより下方にあっても中心より上方にある部分の面積（Ａ１）がそれより下方にある部分の面積（Ａ２）より大きければよい（Ａ１＞Ａ２）。
【００２４】
また、前記非伸縮性部１７がサイドフラップＳｒの有効伸長領域Ｗの上方に偏奇していることが好ましい。ここで、「有効伸長領域」とは、ファスニングテープ１より生じる引張り力がサイドフラップＳｒに伝わり、該サイドフラップＳｒの伸縮性機能に直接作用する伸縮可能領域を意味する。本実施形態１のサイドフラップＳｒにおいて、単純な形状としてモデル化していえば、図２に示すとおり、ファスニングテープ１の外方端Ｓｔからサイドフラップの伸縮性の起点となる伸縮基線Ｑまでの身幅方向（Ｘ方向）において、ファスニングテープ１の身丈方向（Ｙ方向）における上端仮想延長線ｇ１から下端仮想延長線ｇ２までの長方形の領域として有効伸長領域Ｗが分画される。本実施形態において特に好ましくは、図示したもののように、ファスニングテープ１の上端仮想延長線ｇ１から下端仮想延長線ｇ２にかけての中心線Ｇ（ｇ１からＧまでの距離とＧからｇ２までの距離とが等しくなる位置の線。）を基準として上方に偏倚して非伸縮性部１７を配置することである。なお、「非伸縮性部」とは前記サイドフラップＳｒにおける伸縮性をその周辺より低下あるいは喪失した部分のことをいう。
【００２５】
本実施形態において上記伸縮基線Ｑは、おむつの正中面切断線Ｐｃと展開状態において平行である（図２参照）。ここでおむつの正中面切断線とは、本実施形態においておむつは左右対称でありその中心線である。なお、本発明においては、上記伸縮基線Ｑが正中面切断線Ｐｃと平行でなくてもよく、正中面切断線Ｐｃに対して傾斜していたり、点在していていたり、あるいは点が線状に配設されているものでもよい。
【００２６】
本実施形態における非伸縮性部１７は、非伸縮性の不織布が伸縮性部材（複合部材を含む）で構成される伸縮性シート２からなるサイドフラップＳｒに配され、その部分で非伸縮化処理が施されてなる。つまり、非伸縮性部は非伸縮性の不織布等が伸縮しにくい、あるいは伸縮しない状態で固着されている。非伸縮化のための処理方法は特に制限されず、通常の非伸縮性の部材を接着剤やヒートシール処理等によって接着することにより形成したり、伸縮性材料よりなる前記サイドフラップＳｒに接着剤やヒートシール加工を施し所定の部分を非伸縮性に変質させたりしてもよい。
【００２７】
本実施形態１においては、図２に示すとおり、非伸縮性部１７は、サイドフラップＳｒの特定の位置に配置された略長方形部分であり、前記サイドフラップＳｒにおける有効伸長領域Ｗにかかり、他方、中心線Ｓｃないし中心線Ｇを越えない範囲内において配置されている。この非伸縮性部１７があることにより、サイドフラップＳｒはその部分で非伸縮性とされる一方、非伸縮性部１７の両端外方に位置する幅ｔ１及びｔ２の領域（図３参照）は伸縮自在な部分とされ、その長さ（ｔ１＋ｔ２）が有効伸縮長となる。これに対し、中心線Ｓｃないし中心線Ｇより下方においてはＳｔからＱにわたる幅ｔ３（＝ｔ１＋ｔ２＋ｔ４）が有効伸縮長となる。このように、サイドフラップＳｒにおける有効伸縮長の相違（ｔ３＞ｔ１＋ｔ２）によって該サイドフラップＳｒの上方は下方よりも大きな伸縮力が作用する状態とされ、ファスイングテープ１を引いたときに上方において下方よりも大きい引張り力（引張応力）が生じることとなる。
【００２８】
本実施形態１のおむつ１０においては上記構成としたことにより、装着時にファスニングテープ１をまっすぐ、着用者の脇腹からお臍の方に向けて身幅方向ｆ３（図１参照）、すなわち図２に示した展開状態のおむつにおいては幅方向（Ｘ方向）に引張って面状ファスナー１２をランディングテープ６に止着するだけで、背側サイドフラップＳｒにはその上方端側でより強い引張り力ｆ１（図１参照）が作用し、着用者の身丈方向に対して適度に上方から下方に減衰して付加される。すなわち、着用者のレッグ側周囲よりもウエスト側周囲への締め付け力が増し、ウエスト部での隙間が開くことが抑制される。また、同時に背側サイドフラップＳｒの内方端側での引張り力ｆ２も完全に消失することはなく適度に作用し、過度になりがちなレッグ部での締め付け力が減少して適度なものとなり、おむつを外したときの赤ちゃんの脚への跡つきなどが生じにくくなる。なお、本実施形態における非伸縮性シート９からなるサイドフラップＳｆを伸縮性シート２で構成して伸縮性を有するものとしてもよい。赤ちゃんの肌に当接するサイドフラップＳｆに伸縮性を付与することにより脚周り及び胴回りへのフィット性を向上させ、上記赤ちゃんの脚への跡つきなどが更に生じにくくなる。
【００２９】
本実施形態においては、上記のように伸縮性のサイドフラップＳｒに非伸縮性部１７を好適に配設し、その非伸縮性部とこれと隣接する伸縮性部とに跨って図柄５０を配置したことにより、上述の図柄の変化による視覚効果に加え、おむつ着用時の締め付け力を脚まわりと胴まわりとに適度に分配できる。つまり、簡単な操作でしかも見た目の面白さも表現しつつ外形が直線的ではなく大きく緩やかな丸みと起伏のある乳幼児等の体形に対して柔らかくかつ好適にフィットし理想的な装着状態も実現することができる。なお、本発明における図柄が所定の部位間に跨って配置されるとは連続した１つの図柄が２つの部位間に連続して施されていることのほか、断続的に描かれた図形や文字等のまとまりが２つの部位にわたり施されていることを含み、つまり２つの部位の境界上に図柄がない場合を含みうる意味である。
【００３０】
前記実施形態１においては、前記非伸縮性部１７のＸ方向の幅を広げることにより、サイドフラップＳｒにおける引張り力をそれに応じて強くすることができる。また、前記非伸縮性部１７の長手方向（Ｙ方向）の位置及びその長さを変えることにより、サイドフラップＳｒにおける引張り力の強く及ぶ位置を変え、さらにおむつ本体における引張り力の強く及ぶ部分を変えることができる。前記非伸縮性部１７の形状は長方形に限らず引張り力を調節したい位置、大きさ、範囲により例えば三角形、正方形、多角形、半円形、かまぼこ型などのように変形させることができる。あるいは、複数の部分に分割して設けてもよい。描かれる図柄の大きさ及び形状は上記脚周りへの最適なバランスを考慮した非伸縮性部１７の形状に合わせ決めてもよい。このようにして、製造時に複雑な工程の追加や部材の大幅な変更等を伴わずに、前記非伸縮性部１７の幅や位置及びその長さの変更により着用者の性別や年齢、乳幼児の月齢、ニーズ等に応じて引張り力を作用させる部分や力の配分を選択し適宜作り分けることができる。非伸縮性部１７は、その上端がサイドフラップＳｒの上端Ｓ０（図２参照）に必ずしも接する必要はなく、ファスニングテープ１の上端仮想延長線ｇ１から下端仮想延長線ｇ２の中心線Ｇを基準として非伸縮性部１７を上方に偏倚する範囲で、その目的に合わせて自由に設計することができる。
【００３１】
図１０は、本発明の別の実施形態（実施形態２）における乳幼児用の展開型使い捨ておむつ２０の一部切欠展開平面図である。図１０においては、弾性帯７を伸長した状態で示している。本実施形態２のおむつ２０においては、おむつ本体２１全体が砂時計形状に、とくに中間部Ｃにおいて緩やかにくびれのある全体において長手方向（Ｙ方向）に長尺矩形基調の外形形状とされている。
本実施形態２においては、非伸縮性のサイドフラップＳｒ，Ｓｆが、表面シート４、裏面シート３、及びサイドシート８により、吸収体５の幅方向（Ｘ方向）外側に所定の範囲に大きく延在して形成されている。背側サイドフラップＳｒにおいて弾性帯７（紐状弾性部材７ａ及び台紙となる繊維シート７ｂとで構成された複合弾性部材）がファスニングテープ１の基材シート１１と部分的に重なる形態で裏面シート３と表面シート４の間に挟み込まれ配設されている。したがって、装着前の自然形状では、背側サイドフラップＳｒはやや縮んだ状態で適度なギャザーが生じている。また、装着の際にファスニングテープ１１を引張るとその引張り力で前記弾性帯７が伸長する。
【００３２】
本実施形態２においても、前記実施形態１と同様に、前記背側サイドフラップＳｒには、その上方に長方形の非伸縮性部１７が偏倚して配置される。ここでいう上方とは、前記実施形態１と同じである。ただし、側縁部Ｓｒの下縁Ｓｉは部材の切り替え部分ではなく、領域的ないし機能的に定められればよい。また本実施形態２における「有効伸長領域Ｗ」は機能的には区画される領域として実施形態１における定義と同様である。本実施形態２においては、図１０に示すとおり、吸収体５の幅方向（Ｘ方向）外側方に延在するおむつ本体の一部である背側サイドフラップＳｒにおいて、弾性帯７の作用により画成される前記有効伸長領域Ｗの幅方向（Ｘ方向）であって、サイドフラップＳｒの中心線Ｓｃを基準として、好ましくはファスニングテープ１の上端仮想延長線ｇ１から下端仮想延長線ｇ２までの中心線Ｇを基準として、上方に偏倚して前記非伸縮性部１７を配置する。本実施形態２において、背側サイドフラップＳｒの伸縮性を示す伸縮起点はとくに機能上から定められればよく、吸収体５の存在により伸縮性が制限されることも考慮され、図示したもののように前記正中面切断線Ｐｃに平行な線状の伸縮基線Ｑであっても、それと異なる例えば図中Ｑ’で示した局所的なものとしてみてもよい。前記非伸縮部は、背側サイドフラップの裏面シート３の外側（肌当接側と反対側）において弾性帯７が伸長していない状態で非伸縮性部１７を接着剤等で固着することにより配置される。なお、本発明においては、前記非伸縮性部１７の配置方法としては、上記の他、例えば背側サイドフラップの裏面シート３の外側（肌当接側と反対側）において前記弾性帯７が伸長していない状態でヒートシールにより表面シート４から裏面シート３までを固着することにより伸縮性を低下あるいは喪失させる方法であってもよい。
【００３３】
本実施形態２においては、上記の構成としたため装着時にファスニングテープ１をまっすぐに身幅方向に引いたときに背側後縁側（上端側）での引張り力が強く働き、本実施形態１で説明した場合と同様の胴まわりと脚まわりとの理想的な締め付け具合が同時に実現される。
【００３４】
図１１は本発明の別の実施形態（実施形態３）における乳幼児用の展開型使い捨ておむつ３０の一部切欠展開平面図であり、図１２はそのＸＩＩ−ＸＩＩ線断面の断面図である（ただし、弾性部材は図示していない。）。本実施形態３のおむつ３０は、腹側前部Ｅｆから背側後部Ｅｒに至る長手方向（Ｙ方向）に延びる非伸縮性中央部としての吸収性本体８０が配され、これは吸収体５を挟み込むように表面シート４、裏面シート３及びサイドシート８とが積層して組み立てられている。本実施形態３においては、前記積層したシートの裏面シートのさらに外側（非肌当接面）に外装伸縮性不織布１３が積層してあり、前記吸収性本体８０の幅方向（Ｘ方向）両端より外方にその伸縮性不織布が延在してサイドフラップＳｒ，Ｓｆを形成している。そして、前記サイドフラップＳｒの全面が伸縮性不織布からなるものである。本実施形態３の前記サイドフラップＳｒには、その上方に非伸縮性部１７が偏倚して配置される。ここでいう上方とは、前記実施形態１におけるのと同様である。また、実施形態３における「有効伸長領域Ｗ」は、機能的に区画される領域として前記実施形態１におけるのと同義である。本実施形態３において伸縮基線Ｑは、吸収性本体８０の幅方向の側縁によって直線的なものとして形成される。本実施形態３においても、前記実施形態１、２で説明した場合と同様の胴まわりと脚まわりとの理想的な締め付け具合が実現される。
【００３５】
本発明の着用物品における図柄５０は上記のようなイラストだけではなく文字、記号を含む概念である。そのため上記実施形態のような乳幼児用展開型使い捨ておむつに限らず、大人用の各種おむつであってもよい。また本発明は、尿とりパッド等の吸収パッドと組み合わせて用いる展開型おむつカバーであってもよく、この場合、吸収パッドに配設された吸収体を、上記展開型おむつに係る各実施形態の吸収体５としてみることができる。具体的には、吸収パッドの吸収体がおむつカバーの腹側前身ごろＦから背側後身ごろＲに股下中間部Ｃを介して配置されるよう吸収パッドとおむつカバーを組み合わせて装着する。このとき、おむつカバーの伸縮性側縁部に取り付けられたファスニングテープが上記各実施形態において示したのと同様の機能を果たし、装着者の体形に合わせた理想的なフィット性を実現することができる。
【００３６】
上記したような図柄５０は、いろいろな手法によって各部材に付与することができるが、印刷法や転写法によって付与するのが有用である。例えば、印刷法は、スクリーン印刷、グラビア印刷、オフセット印刷などによって実施することができる。印刷等には、常用のインクを特に限定することなく使用することができる。また、図柄付きのシートなどを別に作製しておいて、これを各部材に貼り合わせてもよい。
【００３７】
表面シート４、裏面シート３、非伸縮性シート９、及び吸収体５としては、通常の吸収性物品等において用いられている各種材料を用いることができる。ファスニングテープ１の基材シート１１の形成材料としては、通常の使い捨ておむつ等において用いられている不織布又は合成樹脂製フィルム等の各種のテープ材料を用いることができ、特に、風合いや摘み易さの観点から、不織布を用いることが好ましい。ランディングテープ６の形成材料としては、使い捨ておむつ等において用いられているメカニカルファスナーのメス材となる不織布や、不織布又は編布を接合した合成樹脂製フィルム等が好ましく、特に、それ自身でメカニカルファスナーのメス材となる不織布が好ましい。面状のメカニカルファスナー（面状ファスナー）を形成する材料としては、例えば、通常この種の物品に用いるものを好適に使用することができる。非伸縮性部１７の形成材料としては、前記基材シート１１のようなやや剛性のあるものが好ましく、例えばスパンボンド不織布、スパンボンド−メルトブローン複合不織布（ＳＭ，ＳＭＳ，ＳＭＭＳ等の略号で示される場合もある）などの伸縮性のない不織布がよい。
【００３８】
上記各実施形態においてはサイドフラップＳｒに伸縮性シート２、伸縮性の弾性帯７又は伸縮性不織布が用いられているが、この伸縮性シート、弾性帯又は不織布は、シートの最大伸長率が１００％以上であり、シートないし帯を所定の方向に伸長率１００％まで伸長させた後に収縮させたときの伸長回復率、すなわち１００％伸長時の伸長回復率が、６０％以上であるものが好ましい。このような伸長性を面内方向の少なくとも一方向に有すればよい。ここで伸長回復率は、以下の方法によって測定される。このときの伸長率とは次式で定義されるものとする。
伸長率（％）＝〔（Ｋ２−Ｋ０）／Ｋ０〕×１００
［伸長回復率の測定方法］
長さ５０ｍｍ、幅２５ｍｍのシートのサンプル片を用意し、引っ張り試験機（（株）オリエンテック社製「テンシロン」ＲＴＣ−１１５０Ａ〔商品名〕）を用いて、チャック間隔Ｋ０にサンプル片を固定し、３００ｍｍ／分の速度で伸長率１００％の長さＫ２（Ｋ２＝Ｋ０×２）まで伸長させた後、引っ張り速度と同様の速度で引っ張り力を開放して、応力が０になったときのサンプル片の長さを伸長回復後の長さＫ１とする。この測定結果から次式により、伸長率１００％伸長時の伸長回復率を算出する。
伸長率１００％伸長時の伸長回復率（％）
＝〔（Ｋ２−Ｋ１）／（Ｋ２−Ｋ０）〕×１００  最大伸長率が１００％以上である方向を複数有する場合は、そのうちのいずれか１方向のみにおいて上記最大伸長率及び伸長回復率を示すものも伸縮性シートに含まれる。
【００３９】
前記実施形態１に用いられるサイドフラップＳｒとなる伸縮性シート２又は前記実施形態３における外装伸縮性不織布１３としては伸縮性不織布が挙げられ、例えば、弾性繊維層の両面に、同一の又は異なる、実質的に非弾性の非弾性繊維層が積層されているものがある。このとき弾性繊維層と、非弾性繊維層とは、弾性繊維層の構成繊維が繊維形態を保った状態で、繊維交点の熱融着によって全面で接合されていることが好ましい。この実施形態においては、弾性繊維層と、非弾性繊維層との界面及びその近傍において、弾性繊維層の構成繊維と、非弾性繊維層の構成繊維との交点が熱融着しており、実質的に全面で均一に接合されていることが好ましい。また、２つの非弾性繊維層のうちの少なくとも一方においては、その構成繊維の一部が弾性繊維層に入り込んだ状態、及び／又は、弾性繊維層の構成繊維の一部が少なくとも一方の非弾性繊維層に入り込んだ状態になっていることが好ましい。
【００４０】
弾性繊維層の構成繊維としては、例えば熱可塑性エラストマーやゴムなどを原料とする繊維を用いることができる。弾性繊維層は弾性を有する繊維の集合体であるが、伸縮弾性を損なわない限りにおいて非弾性繊維が含まれていてもよい。非弾性繊維層は、伸長性を有するが、実質的に非弾性のものである。ここでいう、伸長性は、構成繊維自体が伸長する場合と、構成繊維自体は伸長しなくても、繊維どうしの交点において熱融着していた両繊維どうしが離れたり、繊維どうしの熱融着等により複数本の繊維で形成された立体構造が構造的に変化したり、構成繊維がちぎれたりして、繊維層全体として伸長する場合のいずれであってもよい。非弾性繊維層を構成する繊維としては、ポリエチレン（ＰＥ）、ポリプロピレン（ＰＰ）、ポリエステル（ＰＥＴやＰＢＴ）、ポリアミド等からなる繊維等が挙げられる。また、芯鞘型又はサイド・バイ・サイドの複合繊維、分割繊維、異形断面繊維、捲縮繊維、熱収縮繊維等を用いることもできる。
【００４１】
上記実施形態の伸縮性不織布は、その面内方向の少なくとも一方向に伸縮性を有するが、面内のすべての方向に伸縮性を有していてもよい。その場合には、方向によって伸縮性の程度が異なることは妨げられない。伸縮する方向に関し伸縮性の程度は伸長率１００％伸長時の荷重が１０〜５００ｃＮ／２５ｍｍであることが好ましく、特に２０〜１００ｃＮ／２５ｍｍであることがより好ましい。また伸長率１００％に伸長させた状態から収縮させたときの残留歪みが１５％以下であることが好ましく、１０％以下であることがより好ましい。
また、伸縮シートとして特開２００７−１３８３７４号公報に記載の内容を参照することができ、その製造方法については特開２００７−８４９６６号公報、特開２００７−２２０６６号公報などを参考にしてもよい。
本実施形態３に用いられる伸縮性不織布についても前記同様のものが挙げられる。
【００４２】
本実施形態２に用いられるサイドフラップＳｒとなる伸縮性の弾性帯７としては、基材シート上に糸状又は帯状の弾性体が伸長状態で貼着されてなる伸縮性部材であって、該基材シート上に該弾性体を接着部及び非接着部を有するように貼着してある。弾性体としては、各種エラストマー樹脂が用いられる。また、弾性帯の製造方法については特開２０００−２６０１５号公報などを参考にしてもよい。
【００４３】
本発明に用いられるファスニングテープは、前述した実施形態に限定されることなく、適宜変更が可能である。例えば、メカニカルファスナー（面状ファスナー）はメス材でもよい。その場合には、例えば、使い捨ておむつの腹側部の非肌当接面側に、対となるオス材のメカニカルファスナー１２ｉをランディングテープとして設ければよい。またファスニングテープは、使い捨ておむつの腹側部の両側縁部に配されていてもよい。例えば本実施形態１においてランディングテープ６は、腹側前身ごろＦのおむつ外側表面、つまり非肌当接面側の面に貼り付けられており、横長矩形で、その長辺がおむつ幅方向（Ｘ方向）とほぼ一致している（図１、図２参照）。ランディングテープ６はファスニングテープ１が止着されることで、使い捨ておむつの装着形態を形成できるようになっているが、使い捨ておむつの非肌当接面側の面が、オス材のメカニカルファスナー１２ｉに止着可能なシートから形成されている場合には、ランディングテープ６は必ずしも必要ない。また、本発明のファスニングテープは上記実施形態に限定されるものではなく、要求される性能や形態に応じて、各実施形態の利点を活かして適宜選択することができる。
【符号の説明】
【００４４】
１  ファスニングテープ
２  伸縮性シート
３  裏面シート
４  表面シート
５  吸収体
７  弾性帯
８  サイドシート
９  非伸縮性シート
１０、２０、３０  展開型の使い捨ておむつ
１３  外装伸縮性不織布
１５  立体ギャザー形成用の弾性部材
１６  レッグギャザー形成用の弾性部材
１７  非伸縮性部
２１  おむつ本体
２２  伸縮性部
５０  図柄
５１  図柄の非伸縮部
５２  図柄の伸縮部
８０  吸収性本体
【図１】
0005405933.tif 000002
【図２】
0005405933.tif 000003
【図３】
0005405933.tif 000004
【図４】
0005405933.tif 000005
【図５】
0005405933.tif 000006
【図６】
0005405933.tif 000007
【図７】
0005405933.tif 000008
【図８】
0005405933.tif 000009
【図９】
0005405933.tif 000010
【図１０】
0005405933.tif 000011
【図１１】
0005405933.tif 000012
【図１２】
0005405933.tif 000013